(57)【要約】      （修正有）【課題】病院等で患者へ処方する医薬品処方において、医師が判断した延長で、かつ処方箋記載の投与日数と実際に服用（使用）する日数とを同じとする。【解決手段】再診以降、医師が前回と同じ医薬品を同じ分量・用法・用量（投与日数を除く）と判断した投与日数を受診日、または処方箋交付日から受診予約日、毎日受診する整形・リハビリ等で湿布薬等を処方した投与日数を処方箋交付日に足した日、または治癒・症状固定等、医薬品がいらなくなる日の前日までの暦日日数とする。【選択図】なし【特許請求の範囲】
【請求項１】
再診以降、前回と同じ医薬品を同じ分量・用法・用量（投与日数を除く）の投与日数を受診日、または処方箋交付日から受診予約日、次回処方箋交付日、または治癒予定日の前日までの暦日日数としたものである。
【請求項２】
請求項１において、受診予約日または次回処方箋交付日前での再診及び処方で、前回と同じ医薬品を同じ分量・用法・用量（投与日数を除く）の投与日数は前回受診時の受診予約日または次回処方箋交付日から新たな受診予約日または次回処方箋交付日前日までの暦日を投与日数とする。
【請求項３】
請求項１において分割指示の場合、各分割期間の始期から終期までを合計した日数は投与日数と同じである。
【請求項４】
請求項１、２において、処方箋交付日のほか、新たに次回処方箋交付日を処方箋内に記載する。
【請求項５】
請求項１、２において、記号として初診時及び再診時の医薬品追加・変更や分量・
2020124451.tif 000002
表示した処方箋
【発明の詳細な説明】
【技術分野】
【０００１】  この発明は処方箋の投与日数算定に関するものである。
【背景技術】
【０００２】  病院等で患者への医薬品処方は院外処方主体で、かつ処方箋には医師の認め（印）が必要であった。
このため、病院での治療と薬局での医薬品の受領（処方）は別々で、連動なく、投与日数は、若干の余裕のある日数を選定していた。
【発明の開示】
【発明が解決しようとする課題】
【０００３】  医薬品処方、医師が判断した延長で、かつ処方箋記載の投与日数と実際に服用（使用）する日数とが同じにならないかと考えたものである。
【課題を解決するための手段】
【０００４】  再診以降、医師が前回と同じ医薬品を同じ分量・用法・用量（投与日数を除く）と判断した投与日数を受診日、または処方箋交付日から受診予約日、毎日受診する整形・リハビリ等で湿布薬等を処方した投与日数を処方箋交付日に足した日（以下、次回処方箋交付日とする）、または治癒・症状固定等医薬品がいらなくなる日（以下治癒予定日とする）の前日までの暦日日数としたものである。
【発明の効果】
【０００５】  再診以降、前回と同じ医薬品を同じ分量・用法・用量（投与日数を除く）の投与日数は服用（使用）日数と同じになり、過剰医薬品は発生しない。
【発明を実施するための形態】
【０００６】  実施例１
再診以降、前回と同じ医薬品を同じ分量・用法・用量（投与日数を除く）の投与日数を受診日、または処方箋交付日から受診予約日、次回処方箋交付日、または治癒予定日の前日までの暦日日数とする。
【０００７】  実施例２
受診予約日を過ぎての受診は、初診時での投与日数選定と同じ、医師の判断による。
【０００８】  実施例３
医薬品の追加や変更及び分量・用法・用量（投与日数を除く）の変更があった場合、初診時の投与日数選定と同じ、医師の判断による。
【０００９】  実施例４
毎日受診する整形、リハビリ等の治療で処方された湿布薬等医薬品の投与日数は処方箋交付日から次回処方箋交付日前日までの暦日日数とする。
【００１０】  実施例５
受診予約日または次回処方箋交付日前での再診及び処方で、前回と同じ医薬品を同じ分量・用法・用量（投与日数を除く）の投与日数は前回受診時の受診予約日または次回処方箋交付日から新たな受診予約日または次回処方箋交付日前日までの暦日を投与日数とする。
【００１１】  実施例６
医師の判断で薬効が同じ類似の後発医薬品への変更時は元の医薬品に準じて取り扱う。
また、逆の場合も同様とする。
【００１２】  実施例７
分割指示の場合、各分割期間の始期から終期までを合計した日数は投与日数と同じにする。
【００１３】  実施例８
患者の服用（使用）忘れによる投与日数補正は本発明の投与日数算定から服用（使用）忘れ日数（患者からの申告）を引いた日数とする。
【手続補正書】
【提出日】令和1年12月19日(2019.12.19)
【手続補正１】
【補正対象書類名】明細書
【補正対象項目名】全文
【補正方法】変更
【補正の内容】
【発明の詳細な説明】
【技術分野】
【０００１】  この発明は処方箋の投与日数算定に関するものである。
【背景技術】
【０００２】  病院等で患者への医薬品処方は院外処方主体で、かつ処方箋には医師の認め（印）が必要であった。
このため、病院での治療と薬局での医薬品の受領（処方）は別々で、連動なく、投与日数は、若干の余裕のある日数を選定していた。
【発明の開示】
【発明が解決しようとする課題】
【０００３】  医薬品処方、医師が判断した延長で、かつ処方箋記載の投与日数と実際に服用（使用）する日数とが同じにならないかと考えたものである。
※  医師の判断及び用語の説明
１  医師法施行規則：第２１条（処方箋の記載事項）
医師は、患者に交付する処方箋に、患者の氏名、年齢、薬名、分量、用法、用量、発行の年月日、使用期間及び病院若しくは診療所の名称及び所在地または医師の住所を記載し、記名捺印または署名をしなければならない。
２  処方箋記載上の注意事項：「処方」欄について
投与すべき医薬品名、分量、用法及び用量を記載し、余白がある場合には、斜線等により余白である旨を表示すること。
（３）用法及び用量は、一回当たりの服用（使用）量、１日当たり服用（使用）回数及び服用（使用）時点（毎食後、毎食前、就寝前、疼痛時、００時間毎等）、投与日数（回数）並びに服用（使用）に際しての留意事項等を記載すること。
と定められている。以上から
・  処方箋の発行日は医師の受診後の発行（交付）であるから処方箋発行日（処方箋交付日）と受診日は同じ日とした。
・  次回処方箋交付日は受診日に医師が判断した投与日数（受診日での服用を含めた）の次の暦日（７月２日に受診、投与日数１４日：２週間分であれば７月１６日）となり、受診予約日とした。
また、毎日受診する整形・リハビリ等の場合は湿布薬等を処方した投与日数（処方箋交付日の使用を含めた）の次の暦日になる。
・  治癒予定日は治癒・症状固定等医薬品がいらなくなる日
以上から医師の責任期間は次回処方箋交付日、受診予約日、または治癒予定日の前日までとした。
・  受診予約日等：受診予約日、次回処方箋交付日、または治癒予定日
・  受診日等：受診日または処方箋交付日
【課題を解決するための手段】
【０００４】  再診以降、医師が前回と同じ医薬品を同じ分量・用法・用量（投与日数を除く）と判断した投与日数を受診日等：前回受診時の受診予約日等から受診予約日等の前日までの暦日日数としたものである。
【発明の効果】
【０００５】  再診以降、前回と同じ医薬品を同じ分量・用法・用量（投与日数を除く）の投与日数は服用（使用）日数と同じになり、過剰医薬品は発生しない。
【発明を実施するための形態】
【０００６】  実施例１
再診以降、受診予約日等での受診時、前回と同じ医薬品を同じ分量・用法・用量（投与日数を除く）の投与日数を受診日等から受診予約日等の前日までの暦日日数とする。
【０００７】  実施例２
受診予約日を過ぎての受診は、初診時での投与日数選定と同じ、医師の判断による。
【０００８】  実施例３
医薬品の追加や変更及び分量・用法・用量（投与日数を除く）の変更があった場合、初診時の投与日数選定と同じ、医師の判断による。
【０００９】  実施例４
毎日受診する整形・リハビリ等の治療で処方された湿布薬等医薬品の投与日数は前回の次回処方箋交付日から次回処方箋交付日前日までの暦日日数とする。
【００１０】  実施例５
再診以降、受診予約日等前での再診及び処方：受診日等で、前回と同じ医薬品を同じ分量・用法・用量（投与日数を除く）の投与日数は前回受診時の受診予約日等から新たな受診予約日等の前日までの暦日を投与日数とする。
【００１１】  実施例６
医師の判断で薬効が同じ類似の後発医薬品への変更時は元の医薬品に準じて取り扱う。
また、逆の場合も同様とする。
【００１２】  実施例７
分割指示の場合、各分割期間の始期から終期までを合計した日数は投薬日数と同じにする。
【００１３】  実施例８
患者の服用（使用）忘れによる投与日数補正は本発明の投与日数算定から服用（使用）忘れ日数（患者からの申告）を引いた日数にする。
【手続補正２】
【補正対象書類名】特許請求の範囲
【補正対象項目名】全文
【補正方法】変更
【補正の内容】
【特許請求の範囲】
【請求項１】
再診以降、受診予約日等での受診時、前回と同じ医薬品を同じ分量・用法・用量（投与日数を除く）の投与日数を受診日等から受診予約日等の前日までの暦日日数としたものである。
【請求項２】
請求項１において、受診予約日等前での再診及び処方：受診日等で、前回と同じ医薬品を同じ分量・用法・用量（投与日数を除く）の投与日数は前回受診時の受診予約日等から新たな受診予約日等の前日までの暦日を投与日数とする。
【請求項３】
請求項１、２において分割指示の場合、各分割期間の始期から終期までを合計した日数は投薬日数と同じである。
【請求項４】
請求項１、２において、処方箋交付日のほか、新たに次回処方箋交付日を処方箋内に記載する。
【請求項５】
請求項１、２において、記号として初診時及び再診時の医薬品追加・変更や分量・
2020124451.tif 000003
記入、表示した処方箋
【手続補正書】
【提出日】令和2年1月16日(2020.1.16)
【手続補正１】
【補正対象書類名】明細書
【補正対象項目名】全文
【補正方法】変更
【補正の内容】
【発明の詳細な説明】
【技術分野】
【０００１】  この発明は処方箋の投与日数算定に関するものである。
【背景技術】
【０００２】  病院等で患者への医薬品処方は院外処方主体で、かつ処方箋には医師の認め（印）が必要であった。
このため、病院での治療と薬局での医薬品の受領（処方）は別々で、連動なく、投与日数は、若干の余裕のある日数を選定していた。
【発明の開示】
【発明が解決しようとする課題】
【０００３】  医薬品処方、医師が判断した延長で、かつ処方箋記載の投与日数と実際に服用（使用）する日数とが同じにならないかと考えたものである。
※  医師の判断及び用語の説明
１  医師法施行規則：第２１条（処方箋の記載事項）
医師は、患者に交付する処方箋に、患者の氏名、年齢、薬名、分量、用法、用量、発行の年月日、使用期間及び病院若しくは診療所の名称及び所在地または医師の住所を記載し、記名捺印または署名をしなければならない。
２  処方箋記載上の注意事項：「処方」欄について
投与すべき医薬品名、分量、用法及び用量を記載し、余白がある場合には、斜線等により余白である旨を表示すること。
（３）用法及び用量は、一回当たりの服用（使用）量、１日当たり服用（使用）回数及び服用（使用）時点（毎食後、毎食前、就寝前、疼痛時、００時間毎等）、投与日数（回数）並びに服用（使用）に際しての留意事項等を記載すること。
と定められている。以上から
・  処方箋の発行日は医師の受診後の発行（交付）であるから処方箋発行日（処方箋交付日）と受診日は同じ日とした。
・  次回処方箋交付日は受診日に医師が判断した投与日数（受診日での服用を含めた）の次の暦日（７月２日に受診、投与日数１４日：２週間分であれば７月１６日）となり、受診予約日とした。
また、毎日受診する整形・リハビリ等の場合は湿布薬等を処方した投与日数（処方箋交付日の使用を含めた）の次の暦日になる。
・  治癒予定日は治癒・症状固定等医薬品がいらなくなる日
以上から医師の責任期間は次回処方箋交付日、受診予約日、または治癒予定日の前日までとした。
・  受診予約日等：受診予約日、次回処方箋交付日、または治癒予定日
・  受診日等：受診日または処方箋交付日
【課題を解決するための手段】
【０００４】  再診以降、前回の受診日に投与日数を加えた暦日での受診において、医師が前回と同じ医薬品を同じ分量・用法・用量（投与日数を除く）と判断した投与日数を受診日等：前回受診時の受診予約日等から受診予約日等の前日までの暦日日数としたものである。
【発明の効果】
【０００５】  再診以降、前回と同じ医薬品を同じ分量・用法・用量（投与日数を除く）の投与日数は服用（使用）日数と同じになり、過剰医薬品は発生しない。
【発明を実施するための形態】
【０００６】  実施例１
再診以降、受診予約日等での受診時、前回と同じ医薬品を同じ分量・用法・用量（投与日数を除く）の投与日数を受診日等から受診予約日等の前日までの暦日日数とする。
【０００７】  実施例２
受診予約日を過ぎての受診は、初診時での投与日数選定と同じ、医師の判断による。
【０００８】  実施例３
医薬品の追加や変更及び分量・用法・用量（投与日数を除く）の変更があった場合、初診時の投与日数選定と同じ、医師の判断による。
【０００９】  実施例４
毎日受診する整形・リハビリ等の治療で処方された湿布薬等医薬品の投与日数は前回の次回処方箋交付日から次回処方箋交付日前日までの暦日日数とする。
【００１０】  実施例５
再診以降、受診予約日等前での再診及び処方：受診日等で、前回と同じ医薬品を同じ分量・用法・用量（投与日数を除く）の投与日数は前回受診時の受診予約日等から新たな受診予約日等の前日までの暦日を投与日数とする。
【００１１】  実施例６
医師の判断で薬効が同じ類似の後発医薬品への変更時は元の医薬品に準じて取り扱う。
また、逆の場合も同様とする。
【００１２】  実施例７
分割指示の場合、各分割期間の始期から終期までを合計した日数は投薬日数と同じにする。
【００１３】  実施例８
患者の服用（使用）忘れによる投与日数補正は本発明の投与日数算定から服用（使用）忘れ日数（患者からの申告）を引いた日数にする。